(57)【要約】【課題】ファンの放熱構造を提供する。【解決手段】  ファンの放熱構造は、少なくとも、インペラユニット、モータユニット、ファンベースを具える。インペラユニットはファンベースに接合し、モータユニットはファンベースにはめ込み、ファンベースに少なくとも一つの枕部を設け、その枕部はインペラユニットに具えたボスと反対側に通気口と流路を形成することにより、ファンが回転して駆動される流体の一部をボス内に案内し、ボスに収容したモータ全体の放熱を行い、ファン全体の使用寿命を延長できるようにする。【選択図】  図  ２
2006177309.tif 000002
【特許請求の範囲】
【請求項１】
ファンの放熱構造であって、少なくともインペラユニット、モータユニット、ファンベースを具え、インペラユニットはファンベースに接合し、モータユニットをファンベースにはめ込み、
ファンベースには少なくとも一つの枕部を設け、その枕部はインペラユニットに具えたボスの反対側に通気口と流路を形成し、ファンが回転して駆動される流体の一部をボス内部へ案内し、ボスが収容しているモータ全体に対し放熱を行うことによって、ファン全体の使用寿命を長くするようにして成ることを特徴とするファンの放熱構造。
【発明の詳細な説明】
【技術分野】
【０００１】
本発明はファンの放熱構造に関し、特にファンに具える支持ベースをボスに対応した寸法と構造形状に設計し、並びにファンのインペラが回転して流体を移動させ、流体の一部が冷却対象物を通過し、一部はボス内に案内されるようにして、ボスに収容したモータ全体の放熱効果を生じる。
【背景技術】
【０００２】
図１に示すように、公知のファンの組立構造は、ファンにはファンケース４１とボス４２を具え、ファンケース４１内に支持ベース４１１を設け、支持ベース４１１に中空の軸筒４１２を設ける。中空軸筒４１２内に軸受４１３、中空軸筒４１２外部にモータ固定子４３を設置し、モータ固定子４３を支持ベース４１１上に位置決めする。ボス４２は片側は閉じて片側は開いたカバーで、その中に片側がが閉じて片側が開いたキャップ４４を収容して設け、キャップ４４の内側の周辺部に環状のモータ回転子４５を設け、ボス４２は外に放射状に配列した複数のブレード４２１を形成して設け、回転軸４６を具えてその一端をボス４２とキャップ４４に接続し、別の一端を軸受４１３に貫通挿設してボス４２とキャップ４４を支持ベース４１１上に枢着させる。モータ固定子４３とモータ回転子４５が励磁作用を生じると、相の変化によりボス４２とキャップ４４が回転させられ、同時にブレード４２１が回転して流体を移動させ、冷却対象物に対し除熱を行う。
【０００３】
上述の公知ファンの作用は全て流体を冷却対象物（図中未表示）に通過させることである。しかしモータ固定子４３とモータ回転子４５の間の運転も熱を発生し、キャップ４４全体がボス４２に覆われているため、その熱の外界との熱交換率が低くなり、大量の熱エネルギーがキャップ４４内にこもってしまい、ファン本体の寿命が短くなるだけでなく、システム全体の熱も増加する。よって、公知技術の欠点を改善する必要がある。
【発明の開示】
【発明が解決しようとする課題】
【０００４】
上述の公知技術の欠点を解決するため、本発明は、ファンの放熱構造を提供することを主要な課題とする。ファンの支持ベースをボスに対応した寸法と構造形状に設計し、ファンが回転して駆動される流体の一部がボス内に案内されるようにして、ボスに収容されているモータ全体の放熱を行う。
本発明は、ボス内に案内された流体が作る気流を利用してファンのガタツキを減少することをもう一つの課題とする。
【課題を解決するための手段】
【０００５】
ファンの放熱構造は、少なくとも、インペラユニット、モータユニット、ファンベースを具える。インペラユニットはファンベースに接合し、モータユニットはファンベースにはめ込み、ファンベースに少なくとも一つの枕部を設け、その枕部はインペラユニットに具えたボスと反対側に通気口と流路を形成することにより、ファンが回転して駆動される流体の一部をボス内に案内し、ボスに収容したモータ全体の放熱を行い、ファン全体の使用寿命を延長できるようにする。
【発明の効果】
【０００６】
ファンが回転すると駆動される流体の一部がボス内に流れ込み、ボスに収容されているモータ全体が冷却され、ファンの使用寿命が延長できる。またボス内に案内された流体によってファンのガタツキが減少する。
【発明を実施するための最良の形態】
【０００７】
図２に示すように、本発明のファンの放熱構造の好適な実施例は、インペラユニット１０、モータユニット２０、ファンベース３０を具える。インペラユニット１０はインペラボス１１、回転軸１２、モータケース１３、マグネットストリップ１５により組成し、回転軸１２はインペラボス１１の底部中央に形成した軸台１１１に設け、モータケース１３をインペラボス１１の内側縁に設置し、マグネットストリップ１５をモータケース１３の内側縁に設ける。
【０００８】
モータユニット２０は、ファンベース３０にはめ込み、モータユニット２０は絶縁部２１、シリコン鋼片２２、回路基板２３、コイル２４で構成し、シリコン鋼片２２は絶縁部２１の外部に設け、コイル２４とシリコン鋼片２２で絶縁部２１をとり巻く。ファンベース３０の中心に中空の軸ハウジング３１を具え、回路基板２３を絶縁部２１の底部と軸ハウジング３１の間に設置し、回転軸１２は軸ハウジング３１が形成する収容空間内に設ける。回転軸１２の外部と軸ハウジング３１の間に軸受３２を通して設け、回転軸１２が軸受３２に支持されて回転するようにし、軸受３２とインペラボス１１の間にオイルリングＲを具える。
【０００９】
軸ハウジング３１に突出部３１１とストッパ３１２を設け、インペラユニット１０のインペラボス１１と接続していない回転軸１２の一端は円弧形状に形成し、リテーナ１４を締めて設け、突出部３１１がリテーナ１４に対して干渉作用を形成することによって、回転軸１２が軸ハウジング３１から離脱するのを防止する。ファンベース３０は少なくとも一つの枕部３３（図２、図４に示す一個の枕部、図３、図５、図６に示す複数個の枕部、図７はファンベース３０の周辺全部に枕部を形成）を設け、ファンベース３０の枕部３３はインペラボス１１と向かい合って通気口３４と流路を形成し、ファンが回転して駆動される流体の一部がボス内に案内されるようにし、ボス内に収容したモータ全体に対し放熱を行い、これによりファン全体の使用寿命を延長できるほか、インペラボス１１内に案内された流体によってファンのガタツキを減少することができる。
【図面の簡単な説明】
【００１０】
【図１】公知のファンの放熱構造と実施例の略図である。
【図２】本発明の好適な実施例の断面略図である。
【図３】本発明のもう一つの好適な実施例の断面略図である。
【図４】図２の俯瞰略図である。
【図５】図３の俯瞰略図である。
【図６】図３のもう一つの俯瞰略図である。
【図７】図３の更にもう一つの俯瞰略図である。
【符号の説明】
【００１１】
１０ インペラユニット
１１ インペラボス
１１１ 軸台
１２ 回転軸
１３ モータケース
１４ リテーナ
１５ マグネットストリップ
２０ モータユニット
２１ 絶縁部
２２ シリコン鋼片
２３ 回路基板
２４ コイル
３０ ファンベース
３１ 軸ハウジング
３１１ 突出部
３１２ ストッパ
３２ 軸受
３３ 枕部
３４ 通気口
Ｒ オイルリング
４１ ファンケース
４１１ 支持ベース
４１２ 中空軸筒
４１３ 軸受
４２ ボス
４２１ ブレード
４３ モータ固定子
４４ キャップ
４５ モータ回転子
４６ 回転軸
【図１】
2006177309.tif 000003
【図２】
2006177309.tif 000004
【図３】
2006177309.tif 000005
【図４】
2006177309.tif 000006
【図５】
2006177309.tif 000007
【図６】
2006177309.tif 000008
【図７】
2006177309.tif 000009